(57)【特許請求の範囲】
【請求項１】
内部に収容した廃棄物を高温の不活性ガスを導入して焼却処理を伴わずに乾留ガス化する密閉構造の乾留炉と、乾留炉に接続され廃棄物から乾留ガス化された発生ガスを利用可能に処理する発生ガス処理設備と、乾留炉に対し外気との接触が遮断された状態で接続され乾留炉で生成された乾留残滓から乾留炉に導入される不活性ガスを生成する不活性ガス生成設備と、不活性ガス生成設備に接続される溶融設備とを備え、溶融設備で乾留残滓を溶融処理することにより生成された燃焼ガスを乾留炉に導入される不活性ガスとし、不活性ガスは乾留残滓から生成され別系統で生成されない廃棄物処理システム。
【請求項２】
請求項１の廃棄物処理システムにおいて、乾留炉に不活性ガス生成設備，溶融設備からの不活性ガスを集成する不活性ガス集成設備が接続されていることを特徴とする廃棄物処理システム。
【発明の詳細な説明】
【０００１】
【発明の属する技術分野】
本発明は、高分子を含む炭化水素系物，金属，砂利，水の混雑物等からなる廃棄物を乾留，溶融処理する廃棄物処理システムに係る技術分野に属する。
【０００２】
【従来の技術】
従来、廃棄物処理システムとしては、例えば、特開平５−１８０４２５号公報に記載のものが知られている。
【０００３】
この従来の廃棄物処理システムは、廃棄物を焼却処理する際に廃棄物を乾留ガス化する乾留処理をも行うように構成され、焼却処理の負担が軽減されるようになっている。
【０００４】
【発明が解決しようとする課題】
前述の従来の廃棄物処理システムでは、乾留処理が焼却処理で副次的に行われるにすぎないため、廃棄物の乾留ガス化比率が低いという問題点がある。
【０００５】
さらに、乾留処理が焼却処理を前提として行われるため、焼却処理に対応した大規模な大気汚染対策設備を備えなければならないという問題点がある。
【０００６】
本発明は、このような問題点を考慮してなされたもので、焼却処理を行わずに廃棄物の乾留ガス化比率を高めることのできる廃棄物処理システムを提供することを課題とする。
【０００７】
【課題を解決するための手段】
前述の課題を解決するため、本発明に係る廃棄物処理システムは、次のような手段を採用する。
【０００８】
即ち、請求項１では、内部に収容した廃棄物を高温の不活性ガスを導入して焼却処理を伴わずに乾留ガス化する密閉構造の乾留炉と、乾留炉に接続され廃棄物から乾留ガス化された発生ガスを利用可能に処理する発生ガス処理設備と、乾留炉に対し外気との接触が遮断された状態で接続され乾留炉で生成された乾留残滓から乾留炉に導入される不活性ガスを生成する不活性ガス生成設備と、不活性ガス生成設備に接続される溶融設備とを備え、溶融設備で乾留残滓を溶融処理することにより生成された燃焼ガスを乾留炉に導入される不活性ガスとし、不活性ガスは乾留残滓から生成され別系統で生成されないことを特徴とする。
【０００９】
この手段では、廃棄物が高温の不活性ガスの導入で乾留処理される。不活性ガスは、乾留炉で生成された乾留残滓から生成される。
また、乾留残滓は、焼却処理ではなく溶融処理される。
さらに、溶融設備で生成された高温の燃焼ガスが乾留炉に導入される不活性ガスとして利用される。なお、不活性ガスが乾留炉で生成された乾留残滓から生成され別系統の生成設備を必要としないため、全体の装置規模の大型化が避けられ、廃棄物の乾留ガス化比率が高まる。
また、廃棄物から乾留ガス化された発生ガスが発生ガス処理設備を介して各種用途に利用される。
【００１０】
また、請求項２では、請求項１の廃棄物処理システムにおいて、乾留炉に不活性ガス生成設備，溶融設備からの不活性ガスを集成する不活性ガス集成設備が接続されていることを特徴とする。
【００１１】
この手段では、不活性ガス生成設備，溶融設備からの不活性ガスが不活性ガス集成設備で集成され均質化される。
【００１２】
【発明の実施の形態】
以下、本発明に係る廃棄物処理システムの実施の形態を図面に基づいて説明する。
【００１３】
この実施の形態は、乾留炉１と不活性ガス生成設備２と溶融設備３を主要設備として構成されている。
【００１４】
乾留炉１は、耐熱壁で密閉構造に形成されてなるもので、内部に廃棄物Ａを収容し高温の不活性ガスＢを導入して乾留処理を行うことができるようになっている。この乾留炉１は、好ましくは、縦型に形成して隣接する廃棄物集積設備４から搬送された廃棄物Ａを上部から投入し廃棄物Ａが乾留処理され乾留ガス化せずに残った乾留残滓Ｃを下部から排出するように構成する。なお、廃棄物Ａが投入される投入乾留炉１の上部の密閉構造については、前述の従来例に開示されている上下の複数ダンパ構造が採用される。また、不活性ガスＢの導入部については、導入される不活性ガス量の調整によって乾留速度を調整できるように、乾留炉１の下部に設定される。
【００１５】
乾留炉１での乾留処理で廃棄物Ａから乾留ガス化された発生ガスＤは、乾留炉１に接続した発生ガス処理設備５に送られる。発生ガス処理設備５は、発生ガスＤを油化回収等の各種の用途に利用可能な状態に処理する。なお、発生ガスＤの利用されない部分は、大気汚染対策設備である排ガス設備６，排煙設備７を介して大気中に排出される。これ等の排ガス設備６，排煙設備７については、焼却処理の大気汚染対策設備よりもはるかに簡素，小規模なもので対応することができる。
【００１６】
乾留炉１での乾留処理で廃棄物Ａから乾留ガス化されなくて残った乾留残滓Ｃは、乾留炉１に接続した不活性ガス生成設備２に搬送される。不活性ガス生成設備２は、乾留炉１で生成され排出された炭素系からなる乾留残滓Ｃから、主に炭素を燃焼させることによって、乾留炉１に導入される不活性ガスＢを生成する。不活性ガスＢとしては、例えば、ＣＯ２：１４．０９％，ＳＯ２：０．０３％，Ｈ２Ｏ：９．０５％，空気：８．０６％の組成の低酸素ガスからなる。低酸素ガスであることは、乾留炉１での爆発，過燃焼等を防止して安全性を確保することができる。この不活性ガス生成設備２は、必要に応じて加熱手段が備えられ、不活性ガス生成設備２を７００℃程度に加熱する。なお、乾留炉１から不活性ガス生成設備２への乾留残滓Ｃの搬送については、外気との接触が遮断された状態で行われる。
【００１７】
乾留炉１から不活性ガス生成設備２に搬送された乾留残滓Ｃは、さらに不活性ガス生成設備２に接続された溶融設備３に搬送される。溶融設備３は、空気Ｅ，助燃油Ｆの供給によるバーナ（図示せず）の燃焼で乾留残滓Ｃを溶融処理しスラッジＧとして排出する。この溶融設備３で生成された高温の燃焼ガスＨは、乾留炉１に導入される不活性ガスＢとして利用される。なお、不活性ガス生成設備２から溶融設備３への乾留残滓Ｃの搬送については、外気との接触が遮断された状態で行われる。また、バーナに供給される空気Ｅについては、一部が不活性ガス生成設備２に送られる。
【００１８】
不活性ガス生成設備２，溶融設備３で生成された不活性ガスＢは、不活性ガス集成設備８を介して乾留炉１に導入される。不活性ガス集成設備８は、不活性ガス生成設備２，溶融設備３で生成された不活性ガスＢの成分，温度等を均質化する。
【００１９】
この実施の形態によると、乾留炉１において、廃棄物Ａが焼却処理を伴わない高温の不活性ガスＢの積極的な導入で乾留処理される。従って、前述の従来例のように乾留処理が焼却処理で副次的に行われる場合に比して、廃棄物Ａの乾留ガス化比率が高くなる。ちなみに、炭化水素系物，金属，砂利，水の混雑物からなる廃棄物Ａに対して前述の成分，温度からなる不活性ガスＢを導入すると、乾留ガス化比率が７０〜８０％となる。なお、不活性ガスＢが乾留炉１で生成された乾留残滓Ｃから生成され別系統の生成設備を必要としないため、全体の装置規模の大型化を避けることができる。また、乾留炉１での積極的な乾留処理は、吸熱反応によって発生ガスＤの温度の低下をもたらす。従って、発生ガスＤにおける低温蒸発金属量を減少させることができる。
【００２０】
さらに、乾留残滓Ｃは、焼却処理されずに溶融処理される。従って、焼却処理に対応した大規模な大気汚染対策設備を備える必要がなく、全体の装置規模の大型化を避けることができる。ちなみに、乾留残滓Ｃの炭素の含有重量は、２０〜３０％となる。
【００２１】
以上、図示した実施の形態の外に、破棄物処理のために他の設備等と連係することも可能である。
【００２２】
【発明の効果】
以上のように、本発明に係る廃棄物処理システムは、廃棄物を高温の不活性ガスの導入で乾留処理するうえに、不活性ガスが乾留炉で生成された乾留残滓から生成されるために、廃棄物の乾留ガス化比率を高めることができる効果がある。また、この効果により、焼却処理に対応した大規模な大気汚染対策設備を備える必要がなくなり、全体の装置規模の大型化を避けることができるという効果が生ずる。
【００２３】
また、本発明に係る廃棄物処理システムは、廃棄物を高温の不活性ガスの導入で乾留処理する際に、乾留残滓を焼却処理せずに溶融処理するため、焼却処理を行わずに廃棄物の乾留ガス化比率を高めることができる効果がある。
【００２４】
さらに、不活性ガスが乾留炉で生成された乾留残滓から生成される別系統の生成設備を必要としないため、全体の装置規模の大型化を避けることができる効果がある。
【００２５】
さらに、乾留炉での積極的な乾留処理での吸熱反応によって発生ガスの温度の低下をもたらすことができるため、発生ガスにおける低温蒸発金属量を減少させることができる効果がある。
【図面の簡単な説明】
【図１】  本発明に係る廃棄物処理システムの実施の形態を示す設備配置図である。
【符号の説明】
１          乾留炉
２          不活性ガス生成設備
３          溶融設備
４          廃棄物集積設備
５          発生ガス処理設備
６          排ガス設備
７          排煙設備
８          不活性ガス集成設備
Ａ          廃棄物
Ｂ          不活性ガス
Ｃ          乾留残滓
Ｄ          発生ガス
Ｅ          空気
Ｆ          助燃油
Ｇ          スラッジ
Ｈ          燃焼ガス
【図１】
0003754248.tif 000002